(57)【要約】【課題】臨床上必要なデータのみを保存でき、データの保存領域を低減できるとともに画像生成のワークローを改善すること。【解決手段】実施形態に係る医用画像診断装置は、取得部と、状態検知部と、選別保存部とを備える。取得部は、被検体にＸ線を照射することで得られた複数の撮影データを取得する。状態検知部は、取得された撮影データに基づいて撮影データの内部状態の変化を検知する。選別保存部は、内部状態の変化が検知された場合に、臨床上必要な撮影データを保存する。【選択図】  図２
2020005761.tif 000002
【特許請求の範囲】
【請求項１】
被検体にＸ線を照射することで得られた複数の撮影データを取得する取得部と、
取得された前記撮影データに基づいて前記撮影データの内部状態の変化を検知する状態検知部と、
内部状態の変化が検知された場合に、臨床上必要な前記撮影データを保存する選別保存部と、
を備える医用画像診断装置。
【請求項２】
Ｘ線管及びＸ線検出器を回転させて複数の撮影ビューでＸ線撮影する場合であって、
前記状態検知部は、前後の撮影ビューにおける前記撮影データの相関値を計算して、相関値と設定された第１の閾値とに基づいて前記撮影データの内部状態の変化を検知し、
前記選別保存部は、内部状態の変化が検知された場合に、前記相関値に基づいてＸ線照射がＯＮ時の前記撮影データを保存する、
請求項１に記載の医用画像診断装置。
【請求項３】
被検体に穿刺針を挿入してＸ線撮影する場合であって、
前記状態検知部は、前後の前記撮影データの相関値を計算して、この相関値に基づいて穿刺針の挿入による前記撮影データの内部状態の変化を検知し、
前記選別保存部は、内部状態の変化が検知された場合に、前記相関値に基づいて穿刺針を挿入時の前記撮影データを保存する、
請求項１または２に記載の医用画像診断装置。
【請求項４】
被検体内に造影剤を流入させてＸ線撮影する場合であって、
前記状態検知部は、前後の前記撮影データの相関値を計算して、この相関値に基づいて造影剤の流入による前記撮影データの内部状態の変化を検知し、
前記選別保存部は、内部状態の変化が検知された場合に、前記相関値に基づいて造影剤を流入時の前記撮影データを保存する、
請求項１または２に記載の医用画像診断装置。
【請求項５】
Ｘ線検出器に設けられ、Ｘ線を検出するリファレンス検出器を用いて、
前記状態検知部は、リファレンス検出器の出力値と第２の閾値とに基づいて前記撮影データの内部状態の変化を検知し、
前記選別保存部は、内部状態の変化が検知された場合に、前記出力値に基づいてＸ線照射がＯＮ時の前記撮影データを保存する、
請求項１に記載の医用画像診断装置。
【請求項６】
Ｘ線管及びＸ線検出器を回転させて複数の撮影ビューでＸ線撮影する場合において、
前記撮影データは、投影データ、または、画像データである、
請求項１から５のうちいずれか１項に記載の医用画像診断装置。
【請求項７】
Ｘ線管及びＸ線検出器を回転させて複数の撮影ビューでＸ線撮影する場合において、
前記撮影データは、前処理が実行される前のデータである、
請求項１から６のうちいずれか１項に記載の医用画像診断装置。
【発明の詳細な説明】
【技術分野】
【０００１】
本発明の実施形態は、医用画像診断装置に関する。
【背景技術】
【０００２】
Ｘ線ＣＴ（Computed Tomography）装置等により撮影されて得られた撮影データは、感度補正処理等の前処理が適応されて、全てのデータがデータベースに保存される。そして、保存された撮影データを再構成することで断層像等の３次元画像が生成される。
【０００３】
ところで、Ｘ線ＣＴ等では、Ｘ線照射のＯＮ／ＯＦＦを切り替えてＸ線撮影を実行する間欠スキャンが実施される場合がある。このとき、取得される撮影データには、Ｘ線照射がＯＦＦのデータなど、臨床では使用しない撮影データが含まれる。この場合、撮影データから再構成する際には、全ての撮影データからＸ線照射がＯＦＦ時のデータを抽出するために、ソフトで自動的に検出する、あるいは、ユーザが再構成した後に断層画像から判別するなど、Ｘ線照射がＯＦＦ時のデータを判別する必要があり、画像生成のワークローが煩雑となっていた。
【先行技術文献】
【特許文献】
【０００４】
【特許文献１】特開２００３−１１６８４１号公報
【発明の概要】
【発明が解決しようとする課題】
【０００５】
本発明が解決しようとする課題は、臨床上必要なデータのみを保存でき、データの保存領域を低減できるとともに画像生成のワークローを改善することである。
【課題を解決するための手段】
【０００６】
実施形態に係る医用画像診断装置は、取得部と、状態検知部と、選別保存部とを備える。取得部は、被検体にＸ線を照射することで得られた複数の撮影データを取得する。状態検知部は、取得された撮影データに基づいて撮影データの内部状態の変化を検知する。選別保存部は、内部状態の変化が検知された場合に、臨床上必要な撮影データを保存する。
【図面の簡単な説明】
【０００７】
【図１】図１は、実施形態に係るＸ線ＣＴの構成を示す構成図。
【図２】図２は、実施形態に係るＸ線ＣＴにおける処理回路の構成を示すブロック図。
【図３】図３は、Ｘ線照射がＯＦＦからＯＮへ切り替わるときの、前後の撮影ビューにおける生データの相関値の変化の一例を示すグラフ。
【図４】図４は、前後の撮影ビューにおける生データの相関を説明する説明図。
【図５】図５は、前後の撮影ビューにおける生データの相関値の変化から生データの要否判断のフローを示すフローチャート。
【図６】図６は、穿刺針を挿入した場合における、前後の撮影ビューにおける生データの相関を説明する説明図。
【図７】図７は、リファレンス検出器の配置の一例を示す構成図。
【図８】図８は、Ｘ線照射がＯＦＦからＯＮへ切り替わるときの、リファレンス検出器の出力値の変化の一例を示すグラフ。
【図９】図９は、リファレンス検出器の出力値の変化から生データの要否判断のフローを示すフローチャート。
【発明を実施するための形態】
【０００８】
以下、実施形態に係る医用画像診断装置について添付図面を参照して説明する。なお、ここでは、医用画像診断装置について、医用画像診断装置の一例であるＸ線ＣＴ装置を用いて説明する。
【０００９】
図１に示すように、実施形態に係るＸ線ＣＴ装置１は、架台装置１０と、寝台装置３０と、コンソール装置４０とを有する。図１では架台装置１０に挿入される被検体Ｐの位置関係を説明するため、架台装置１０を複数描画している。
【００１０】
なお、本実施形態では、非チルト状態での回転フレーム１３の回転軸又は寝台装置３０の天板３３の長手方向をＺ軸方向、Ｚ軸方向に直交し、床面に対し水平である軸方向をＸ軸方向、Ｚ軸方向に直交し、床面に対し垂直である軸方向をＹ軸方向とそれぞれ定義するものとする。
【００１１】
架台装置１０は、Ｘ線管１１と、Ｘ線検出器１２と、回転フレーム１３と、Ｘ線高電圧装置１４と、を有する。
【００１２】
Ｘ線管１１は、Ｘ線高電圧装置１４からの高電圧の印加により、陰極（フィラメント）から陽極（ターゲット）に向けて熱電子を照射することでＸ線を発生する真空管である。
【００１３】
ウェッジ１６は、Ｘ線管１１から照射されたＸ線量を調節するためのフィルタである。具体的には、ウェッジ１６は、Ｘ線管１１から被検体Ｐへ照射されるＸ線が、予め定められた分布になるように、Ｘ線管１１から照射されたＸ線を透過して減衰するフィルタである。例えば、ウェッジ１６（ウェッジフィルタ（wedge filter）、ボウタイフィルタ（bow-tie filter））は、所定のターゲット角度や所定の厚みとなるようにアルミニウムを加工したフィルタである。
【００１４】
コリメータ１７は、ウェッジ１６を透過したＸ線の照射範囲を絞り込むための鉛板等であり、複数の鉛板等の組み合わせによってスリットを形成する。なお、コリメータ１７は、Ｘ線絞りと呼ばれる場合もある。
【００１５】
Ｘ線検出器１２は、Ｘ線管１１から照射され、被検体Ｐを通過したＸ線を検出し、当該Ｘ線量に対応した電気信号をＤＡＳ１８へと出力する。Ｘ線検出器１２は、例えば、Ｘ線管の焦点を中心として１つの円弧に沿ってチャネル方向に複数のＸ線検出素子が配列された複数のＸ線検出素子列を有する。Ｘ線検出器１２は、例えば、チャネル方向に複数のＸ線検出素子が配列されたＸ線検出素子列がスライス方向（列方向、ｒｏｗ方向）に複数配列された構造を有する。なお、Ｘ線検出器１２の端部に設けられるリファレンス検出器については後述する。
【００１６】
Ｘ線検出器１２は、寝台装置３０の内部に搭載されて、Ｘ線管１１に対向する位置に配置される。Ｘ線検出器１２は、例えば平面検出器（ＦＰＤ：Flat Panel Detector）により構成されて、Ｘ線検出器１２に照射されたＸ線を検出し、この検出したＸ線に基づいてＸ線透視画像やＸ線撮影画像の撮像画像を出力する。Ｘ線検出器１２で検出された撮像画像のデータは、コンソール装置４０に転送される。なお、Ｘ線検出器１２は、イメージインテンシファイア、ＴＶカメラなどを用いて構成されてもよい。
【００１７】
また、Ｘ線検出器１２は、例えば、グリッドと、シンチレータアレイと、光センサアレイとを有する間接変換型の検出器である。シンチレータアレイは、複数のシンチレータを有し、シンチレータは入射Ｘ線量に応じた光子量の光を出力するシンチレータ結晶を有する。グリッドは、シンチレータアレイのＸ線入射側の面に配置され、散乱Ｘ線を吸収する機能を有するＸ線遮蔽板を有する。なお、グリッドはコリメータ（１次元コリメータ又は２次元コリメータ）と呼ばれる場合もある。
【００１８】
光センサアレイは、シンチレータからの光量に応じた電気信号に変換する機能を有し、例えば、光電子増倍管（フォトマルチプライヤー：ＰＭＴ）等の光センサを有する。なお、Ｘ線検出器１２は、入射したＸ線を電気信号に変換する半導体素子を有する直接変換型の検出器であっても構わない。
【００１９】
Ｘ線高電圧装置１４は、変圧器（トランス）及び整流器等の電気回路を有し、Ｘ線管１１に印加する高電圧を発生する機能を有する高電圧発生装置と、Ｘ線管１１が照射するＸ線に応じた出力電圧の制御を行うＸ線制御装置とを有する。高電圧発生装置は、変圧器方式であってもよいし、インバータ方式であっても構わない。なお、Ｘ線高電圧装置１４は、後述する回転フレーム１３に設けられてもよいし、架台装置１０の固定フレーム（図示しない）側に設けられても構わない。なお、固定フレームは回転フレーム１３を回転可能に支持するフレームである。
【００２０】
ＤＡＳ１８（Data Acquisition System）は、Ｘ線検出器１２の各Ｘ線検出素子から出力される電気信号に対して増幅処理を行う増幅器と、電気信号をデジタル信号に変換するＡ／Ｄ変換器とを有し、検出データを生成するデータ収集部である。ＤＡＳ１８が生成した検出データは、収集データとしてコンソール装置４０へ転送される。
【００２１】
回転フレーム１３は、Ｘ線管１１とＸ線検出器１２とを対向支持し、後述する制御装置１５によってＸ線管１１とＸ線検出器１２とを回転させる円環状のフレームである。なお、回転フレーム１３は、Ｘ線管１１とＸ線検出器１２に加えて、Ｘ線高電圧装置１４やＤＡＳ１８を更に備えて支持する。なお、ＤＡＳ１８が生成した検出データは、回転フレームに設けられた発光ダイオード（ＬＥＤ）を有する送信機から光通信によって架台装置の非回転部分（例えば固定フレーム。図１での図示は省略している。）に設けられた、フォトダイオードを有する受信機に送信され、コンソール装置４０へと転送される。なお、回転フレームから架台装置の非回転部分への検出データの送信方法は、前述の光通信に限らず、非接触型のデータ伝送であれば如何なる方式を採用しても構わない。
【００２２】
制御装置１５は、ＣＰＵ等を有する処理回路と、モータ及びアクチュエータ等の駆動機構とを有する。制御装置１５は、コンソール装置４０若しくは架台装置１０に取り付けられた、後述する入力インターフェース４３からの入力信号を受けて、架台装置１０及び寝台装置３０の動作制御を行う機能を有する。
【００２３】
例えば、制御装置１５は、入力信号を受けて回転フレーム１３を回転させる制御や、架台装置１０をチルトさせる制御、及び寝台装置３０及び天板３３を動作させる制御を行う。なお、架台装置１０をチルトさせる制御は、架台装置１０に取り付けられた入力インターフェースによって入力される傾斜角度（チルト角度）情報により、制御装置１５がＸ軸方向に平行な軸を中心に回転フレーム１３を回転させることによって実現される。なお、制御装置１５は架台装置１０に設けられてもよいし、コンソール装置４０に設けられても構わない。
【００２４】
寝台装置３０は、スキャン対象の被検体Ｐを載置、移動させる装置であり、基台３１と、寝台駆動装置３２と、天板３３と、支持フレーム３４とを備えている。基台３１は、支持フレーム３４を鉛直方向に移動可能に支持する筐体である。寝台駆動装置３２は、被検体Ｐが載置された天板３３を天板３３の長軸方向に移動するモータあるいはアクチュエータである。支持フレーム３４の上面に設けられた天板３３は、被検体Ｐが載置される板である。なお、寝台駆動装置３２は、天板３３に加え、支持フレーム３４を天板３３の長軸方向に移動してもよい。
【００２５】
コンソール装置４０は、メモリ４１と、ディスプレイ４２と、入力インターフェース４３とを有する。なお、コンソール装置４０は架台装置１０とは別体として説明するが、架台装置１０にコンソール装置４０又はコンソール装置４０の各構成要素の一部が含まれてもよい。
【００２６】
メモリ４１は、例えば、ＲＡＭ（Random Access Memory）、フラッシュメモリ等の半導体メモリ素子、ハードディスク、光ディスク等により実現される。メモリ４１は、例えば、投影データや再構成画像データを記憶するデータベースとして機能する。
【００２７】
ディスプレイ４２は、各種の情報を表示する。例えば、ディスプレイ４２は、処理回路４４によって生成された医用画像（ＣＴ画像）や、操作者からの各種操作を受け付けるためのＧＵＩ（Graphical User Interface）等を出力する。例えば、ディスプレイ４２は、液晶ディスプレイやＣＲＴ（Cathode Ray Tube）ディスプレイである。また、ディスプレイ４２は、架台装置１０に設けられてもよい。また、ディスプレイ４２は、デスクトップ型でもよいし、コンソール装置４０本体と無線通信可能なタブレット端末等で構成されることにしても構わない。
【００２８】
入力インターフェース４３は、操作者からの各種の入力操作を受け付け、受け付けた入力操作を電気信号に変換して処理回路４４に出力する。例えば、入力インターフェース４３は、投影データを収集する際の収集条件や、ＣＴ画像を再構成する際の再構成条件、ＣＴ画像から後処理画像を生成する際の画像処理条件等を操作者から受け付ける。例えば、入力インターフェース４３は、マウスやキーボード、トラックボール、スイッチ、ボタン、ジョイスティック等により実現される。また、入力インターフェース４３は、架台装置１０に設けられてもよい。また、入力インターフェース４３は、コンソール装置４０本体と無線通信可能なタブレット端末等で構成されることにしても構わない。
【００２９】
図２は、処理回路４４の構成を示すブロック図である。処理回路４４は、メモリ４１に記憶されたプログラムを読み出して実行することによりＸ線ＣＴ装置１の全体の動作を制御するプロセッサである。なお、ここでは一例として、プロセッサによるソフトウェア処理によって処理回路４４が各種機能を実現する場合について説明するが、ＡＳＩＣ等の専用のハードウェアにより構成することもできる。
【００３０】
例えば、処理回路４４は、システム制御機能４４１、データ取得機能４４２、前処理機能４４３、状態検知機能４４４、選別保存機能４４５、再構成処理機能４４６を有する。
【００３１】
システム制御機能４４１は、入力インターフェース４３を介して操作者から受け付けた入力操作に基づいて、処理回路４４の各種機能を制御する。なお、ここでは、Ｘ線管１１の照射角度を示す撮影ビュー（撮影Ｖｉｅｗ）を連続的に変化させる過程で、Ｘ線照射のＯＮ／ＯＦＦを間欠的に切り替えてＸ線撮影を行う場合について検討する。
【００３２】
データ取得機能４４２は、被検体にＸ線を照射することで得られた複数の撮影データを取得する。データ取得機能４４２は、ＤＡＳから伝送された収集データとともに撮影ビューのそれぞれに対応するビュー番号、撮影角度、撮影時間などの情報を取得する。
【００３３】
前処理機能４４３は、ＤＡＳ１８から送信された収集データに対して対数変換処理やオフセット補正処理、チャネル間の感度補正処理、ビームハードニング補正等の前処理を施した補正データを生成する。
【００３４】
なお、以下では、データ収集回路から出力された収集データを「純生データ」と称し、純生データに対して対数変換処理やオフセット補正処理等の前処理を施したデータを「生データ」と称する。そして、前処理前のデータ（純生データ）及び前処理後のデータ（生データ）を総称して投影データと称する。
【００３５】
状態検知機能４４４は、取得された収集データに基づいて収集データの内部状態の変化を検知する。状態検知機能４４４は、前後の撮影ビューにおける収集データ（生データ）の相関値を計算して、相関値と設定された第１の閾値とに基づいて収集データの内部状態の変化を検知する。
【００３６】
具体的には、状態検知機能４４４は、取得された撮影ビューの生データと直前の撮影ビューでの生データとを取得して、前後の生データを比較して相関値を求める。Ｘ線照射がＯＦＦのとき、前後の撮影ビューにおける生データは、低い相関値を示す。一方で、Ｘ線照射がＯＮのとき、前後の撮影ビューにおける生データは、被検体がデータ内部に一定の位置に存在するため、高い相関値を示す。
【００３７】
このため、前後の撮影ビューにおける生データの相関値について、設定された第１の閾値を超える変化が生じた場合、Ｘ線照射がＯＦＦからＯＮに切り替わったと判定することができる。逆に、相関値が第１の閾値以下に変化した場合、Ｘ線照射がＯＮからＯＦＦに切り替わったと判定することができる。なお、第１の閾値は、Ｘ線照射をＯＮ／ＯＦＦを切り替えた場合に示す相関値と回転速度などのスキャン条件を考慮して予め設定される。
【００３８】
選別保存機能４４５は、状態検知機能４４４において内部状態の変化が検知された場合に、取得された収集データについて、前後の撮影ビューにおける生データの相関値に基づいてＸ線ＯＮ時の収集データをメモリ４１に保存する。具体的には、選別保存機能４４５は、内部状態の変化が検知されて、相関値が第１の閾値を超える場合、撮影ビューに対応する生データについて、Ｘ線照射がＯＮ時に収集された生データとしてメモリ４１に保存する。一方、相関値が第１の閾値以下の場合には、Ｘ線照射がＯＦＦ時に収集された生データとしてメモリ４１に保存しない。
【００３９】
再構成処理機能４４６は、選別保存機能４４５により選別されて保存されたＸ線照射がＯＮ時の生データに対して、フィルタ補正逆投影法や逐次近似再構成法等を用いた再構成処理を行ってＣＴ画像データを生成する。そして、入力インターフェース４３を介して操作者から受け付けた入力操作に基づいて、生成されたＣＴ画像データを公知の方法により、任意断面の断層像データや３次元画像データに変換する。
【００４０】
図３は、撮影ビューを変化させてＸ線撮影する際、Ｘ線照射をＯＦＦからＯＮへ切り替えた場合の、前後の撮影ビューにおける生データの相関値の変化の一例を示すグラフである。図４は、Ｘ線照射がＯＦＦからＯＮに切り替えられた時点での、前後の撮影ビューにおける生データの相関を説明する図である。
【００４１】
図３には、Ｘ線照射のＯＮ／ＯＦＦを切り替えてＸ線撮影を実施した場合における、２３００ビューから３７００ビューまでの相関値が示されている。
【００４２】
図４に示すように、Ｘ線照射がＯＦＦであった２４８８ビューと、Ｘ線照射がＯＮに切り替わった２４８９ビューとの間では低い相関値となる一方、Ｘ線がＯＮに切り替わった２４８９ビュー以降では高い相関を有して、相関値は設定された閾値を超える。
【００４３】
状態検知機能４４４は、相関値が閾値を超えた場合に、Ｘ線照射がＯＦＦからＯＮに切り替わったことを検知する。そして、選別保存機能４４５は、相関値が閾値を超える撮影ビューに対応する生データをメモリ４１へ保存する。
【００４４】
一方、状態検知機能４４４は、相関値が閾値以下に変化した場合に、Ｘ線照射がＯＮからＯＦＦに切り替わったことを検知する。そして、選別保存機能４４５は、相関値が閾値以下となる撮影ビューに対応する生データについてメモリ４１に保存しない。
【００４５】
この処理をスキャン完了まで繰り返すことで、Ｘ線照射がＯＮ時に対応する生データ、すなわち再構成に必要な生データのみがメモリ４１に保存される。
【００４６】
なお、再構成処理機能４４６において、メモリ４１に保存された生データを再構成する際、保存した生データは撮影ビューが飛び飛びになる場合がある。この場合、記録されている撮影ビューのビュー番号を利用して、ビュー番号が連続で無い場合には撮影ビューを跨いで再構成を実行しない。
【００４７】
図５は、前後の撮影ビューにおける生データの相関値の変化から生データの要否判断のフローを示すフローチャートである（適宜、図２参照）。
【００４８】
状態検知機能４４４は、前後のビューにおける生データの相関値と比較するための第１の閾値を設定する（Ｓ１０）。第１の閾値は、Ｘ線照射をＯＮ／ＯＦＦを切り替えた場合に示す相関値と回転速度などのスキャン条件を考慮して予め設定される。
【００４９】
制御装置１５は、ＣＴスキャンを開始する（Ｓ１１）。Ｘ線管１１が、最初の撮影ビューの位置に配置されて、Ｘ線照射が実行される。データ取得機能４４２は、ＤＡＳ１８から撮影ビューに対応する純生データを収集する（Ｓ１２）。
【００５０】
前処理機能４４３は、前処理を実行して生データを生成する（Ｓ１３）。そして、状態検知機能４４４は、前後のビューにおける生データの相関値を計算する（Ｓ１４）。
【００５１】
状態検知機能４４４は、計算した相関値が閾値を超える場合には、Ｘ線照射がＯＦＦからＯＮに切り替わったことを検知して、選別保存機能４４５は、相関値が閾値を超える撮影ビューに対応する生データをメモリ４１へ保存する（Ｓ１５：ＹＥＳ、Ｓ１６）。一方で、相関値が閾値以下の場合には、生データを保存しない（Ｓ１５：ＮＯ）。
【００５２】
制御装置１５は、現在の撮影ビューが収集予定の撮影ビュー数より小さい場合、Ｘ線管１１を次の撮影ビューに移動させて、生データの保存処理を続行する（Ｓ１７：ＹＥＳ、Ｓ１８）。一方で、現在の撮影ビューが収集予定のビュー数となった場合には、Ｘ線撮影を終了する（Ｓ１７：ＮＯ、終了）。
【００５３】
このように、Ｘ線撮影時に取得される生データについて、臨床上必要な生データ（Ｘ線照射がＯＮ時の生データ）のみを保存し、臨床上不要な生データは保存しない。これにより、生データから再構成する際に、不要な生でデータを参照する必要がなくなり、画像生成のワークローが改善するとともに、生データを保存するためのデータ領域を低減できる。
【００５４】
なお、上記の実施形態では、前後の撮影ビューにおける生データの相関値に基づいて生データの内部状態の変化を検知していたが、前処理が実行される前の収集データ（純生データ）を用いて相関値を計算し、データの内部状態の変化を検知してもよい。これにより、不要なデータとしてメモリ４１に保存しないと判定された場合には、純生データに対して前処理を実行する必要がなくなり、処理プロセスを短縮化することができる。
【００５５】
さらに、相関値を求める際、複数の撮影ビューから取得された生データに基づいて再構成された画像データを用いてもよい。この場合、任意に指定した範囲の撮影ビューにおける複数の生データから再構成データを生成し、さらに指定した範囲とは異なる範囲の撮影ビューにおける複数の生データから再構成して再構成データを生成する。そして、２つの画像データの相関値を計算して、相関値が基準値を超える場合には相関有りとして、複数の撮影ビューから取得された生データを保存する。一方、相関値が基準値を下回る場合には、相関無しとして、複数の撮影ビューから取得された生データを保存しない。このように、再構成画像された画像データ同士で相関を計算して、相関値に基づいて画像作成に寄与した全ての生データに対して保存の要否を判断する。
【００５６】
また、穿刺針を挿入して手術する場合にＸ線撮影を実施する際、生データの相関値を用いて生データの保存の要否を判定してもよい。
【００５７】
具体的には、状態検知機能４４４は、Ｘ線撮影時に取得される生データについて、取得された撮影ビューの生データと直前の撮影ビューでの生データとの相関値を計算し、この相関値に基づいて穿刺針の挿入による生データの内部状態の変化を検知する。そして、選別保存機能４４５は、内部状態の変化が検知された場合に、相関値に基づいて穿刺針を挿入時の生データのみをメモリ４１に保存する。
【００５８】
図６は、穿刺針を挿入した場合における、前後の撮影ビューにおける生データの相関を説明する説明図である。なお、生データの相関値を求める場合に、同じ撮影ビューで取得された生データ同士を比較してもよい。
【００５９】
図６に示すように、穿刺針を挿入する前の生データと穿刺針が挿入された後の生データとの相関値は低い値を示す一方で、穿刺針が挿入された後での生データ同士は高い相関を示す。このため、相関値により穿刺針の挿入を検知でき、臨床上必要となる穿刺針の挿入時の生データのみをメモリ４１に保存できる。
【００６０】
また、被検体内に造影剤を流入させてＸ線撮影する場合、生データの相関値を用いて生データの保存の要否を判定してもよい。
【００６１】
具体的には、状態検知機能４４４は、Ｘ線撮影時に取得される生データについて、取得された撮影ビューの生データと直前の撮影ビューでの生データとの相関値を計算し、この相関値に基づいて造影剤の流入による生データの内部状態の変化を検知する。そして、選別保存機能４４５は、内部状態の変化が検知された場合に、相関値に基づいて造影剤が流入された時の生データを保存する。これにより、前後の生データにおける相関値により造影剤の流入を検知でき、臨床上必要である造影剤の流入時の生データのみをメモリ４１に保存できる。
【００６２】
（第２実施形態）
第２実施形態では、撮影データの内部状態の変化を、Ｘ線検出器１２に設けられたリファレンス検出器２０の出力値に基づいて検知する。
【００６３】
図７は、リファレンス検出器２０の配置の一例を示す構成図である。リファレンス検出器２０は、Ｘ線検出器１２の両端部に設けられおり、被検体を通過すること無く到達するＸ線を検出する。
【００６４】
状態検知機能４４４は、リファレンス検出器２０の出力値と第２の閾値とに基づいて収集データの内部状態の変化を検知する。第２の閾値は、Ｘ線照射をＯＮ／ＯＦＦを切り替えた場合に示すリファレンス検出器２０の出力値と回転速度などのスキャン条件を考慮して予め設定される。
【００６５】
選別保存機能４４５は、内部状態の変化が検知された場合に、出力値に基づいてＸ線照射がＯＮ時の収集データを保存する。具体的には、リファレンス検出器２０の出力値が第２の閾値を超える場合、撮影ビューに対応する生データについて、Ｘ線照射がＯＮ時に収集された生データとしてメモリ４１に保存する。一方、リファレンス検出器２０の出力値が第２の閾値以下の場合には、Ｘ線照射がＯＦＦ時に収集された生データとしてメモリ４１に保存しない。
【００６６】
図８は、Ｘ線照射がＯＦＦからＯＮへ切り替わるときの、リファレンス検出器２０の出力値の変化の一例を示すグラフである。
【００６７】
図８には、Ｘ線照射をＯＮ／ＯＦＦを切り替えてＸ線撮影を実施した場合、撮影ビューそれぞれにおけるリファレンス検出器２０の出力値が示されている。図８に示すように、リファレンス検出器２０は、Ｘ線照射がＯＮに切り替わるとき、リファレンス検出器２０は閾値を超える高い出力値を示す。このため、リファレンス検出器２０の出力値により、撮影データの内部状態の変化が検知でき、Ｘ線照射がＯＮ時に対応する生データ、すなわち再構成に必要な生データのみをメモリ４１に保存できる。
【００６８】
図９は、リファレンス検出器２０の出力値の変化から生データの要否判断時のフローチャートである（適宜、図２、図７参照）。
【００６９】
状態検知機能４４４は、リファレンス検出器２０の出力値と比較するための第２の閾値を設定する（Ｓ２０）。
【００７０】
制御装置１５は、ＣＴスキャンを開始する（Ｓ２１）。Ｘ線管１１が、最初の撮影ビューの位置に配置されて、Ｘ線照射が実行される。データ取得機能４４２は、ＤＡＳ１８から撮影ビューに対応する純生データを収集する（Ｓ２２）。
【００７１】
状態検知機能４４４は、撮影ビューにおけるリファレンス検出器２０の出力値を取得する（Ｓ２３）。前処理機能４４３は、前処理を実行して生データを生成する（Ｓ２４）。
【００７２】
状態検知機能４４４は、リファレンス検出器２０の出力値が第２の閾値を超える場合には、Ｘ線照射がＯＦＦからＯＮに切り替わったことを検知して、選別保存機能４４５は、相関値が閾値を超える撮影ビューに対応する生データをメモリ４１へ保存する（Ｓ２５：ＹＥＳ、Ｓ２６）。一方で、リファレンス検出器２０の出力値が閾値以下の場合には、生データを保存しない（Ｓ２５：ＮＯ）。
【００７３】
制御装置１５は、現在の撮影ビューが収集予定の撮影ビュー数より小さい場合、Ｘ線管１１を次の撮影ビューに移動させて、生データの保存処理を続行する（Ｓ２７：ＹＥＳ、Ｓ２８）。一方で、現在の撮影ビューが収集予定のビュー数となった場合には、Ｘ線撮影を終了する（Ｓ２７：ＮＯ、終了）。
【００７４】
このように、Ｘ線撮影時に取得される生データについて、臨床上必要な生データのみを保存し、臨床上不要な生データは保存しない。これにより、生データから再構成する際に、不要な生でデータを参照する必要がなくなり、画像生成のワークローが改善するとともに、生データを保存するためのデータ領域を低減できる。
【００７５】
以上説明した少なくとも１つの実施形態によれば、臨床上必要なデータのみを保存でき、データの保存領域を低減できるとともに画像生成のワークローを改善することができる。
【００７６】
なお、システム制御機能４４１は、システム制御部の一例である。データ取得機能４４２は、取得部の一例である。前処理機能４４３は、前処理部の一例である。状態検知機能４４４は、状態検知部の一例である。選別保存機能４４５は、選別保存部の一例である。再構成処理機能４４６は、再構成処理部の一例である。
【００７７】
また、上記実施形態において、「プロセッサ」という文言は、たとえば、専用または汎用のＣＰＵ（Central Processing Unit）、ＧＰＵ（Graphics Processing Unit）、または、特定用途向け集積回路（Application Specific Integrated Circuit：ＡＳＩＣ）、プログラマブル論理デバイス（たとえば、単純プログラマブル論理デバイス（Simple Programmable Logic Device：ＳＰＬＤ）、複合プログラマブル論理デバイス（Complex Programmable Logic Device：ＣＰＬＤ）、およびＦＰＧＡ）等の回路を意味するものとする。プロセッサは、記憶媒体に保存されたプログラムを読み出して実行することにより、各種機能を実現する。
【００７８】
また、上記実施形態では処理回路の単一のプロセッサが各機能を実現する場合の例について示したが、複数の独立したプロセッサを組み合わせて処理回路を構成し、各プロセッサが各機能を実現してもよい。また、プロセッサが複数設けられる場合、プログラムを記憶する記憶媒体は、プロセッサごとに個別に設けられてもよいし、１つの記憶媒体が全てのプロセッサの機能に対応するプログラムを一括して記憶してもよい。
【００７９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８０】
１  Ｘ線ＣＴ装置
１１  Ｘ線管
１２  Ｘ線検出器
２０  リファレンス検出器
４０  コンソール装置
４１  メモリ
４２  ディスプレイ
４３  入力インターフェース
４４  処理回路
４４１  システム制御機能
４４２  データ取得機能
４４３  前処理機能
４４４  状態検知機能
４４５  選別保存機能
４４６  再構成処理機能
【図１】
2020005761.tif 000003
【図２】
2020005761.tif 000004
【図３】
2020005761.tif 000005
【図４】
2020005761.tif 000006
【図５】
2020005761.tif 000007
【図６】
2020005761.tif 000008
【図７】
2020005761.tif 000009
【図８】
2020005761.tif 000010
【図９】
2020005761.tif 000011